(57)【要約】【課題】本発明は、製造コストを増加させることなく、挿抜可能メモリ等の挿脱時における操作性を高めることができ、筐体への塵や埃の進入を防止することが可能なスロット機構内蔵型電子装置を提供することを目的とする。【解決手段】本発明のスロット機構内蔵型電子装置は、記憶装置を挿脱するためのスロット機構を備えた基板と、基板を設置するための底面と、記憶装置をスロット機構に挿脱するための第１開口部とを備えた筐体と、基板と底面との間に設けられた絶縁シートと、第１開口部の少なくとも一部を塞ぐように配置された防塵シートと、を備え、防塵シートは、記憶装置をスロット機構に挿脱するための第２開口部を備え、絶縁シートと一体となるように構成されていることを特徴とする。【選択図】図３
2011227711.tif 000002
【特許請求の範囲】
【請求項１】
記憶装置を挿脱するためのスロット機構を備えた基板と、
前記基板を設置するための底面と、前記記憶装置を前記スロット機構に挿脱するための第１開口部とを備えた筐体と、
前記基板と前記底面との間に設けられた絶縁シートと、
前記第１開口部の少なくとも一部を塞ぐように配置された防塵シートと、を備え、
前記防塵シートは、前記記憶装置を前記スロット機構に挿脱するための第２開口部を備え、前記絶縁シートと一体となるように構成されている、
ことを特徴とするスロット機構内蔵型電子装置。
【請求項２】
前記防塵シートは、前記絶縁シートとの接続部を支点として屈曲可能となっている、
請求項１に記載のスロット機構内蔵型電子装置。
【請求項３】
前記防塵シートは、前記第２開口部の周辺に配置されたスリットを有している、
請求項１または２に記載のスロット機構内蔵型電子装置。
【請求項４】
前記第１開口部を覆うようにして前記筐体に装着されるフタをさらに備えている、
請求項１乃至３のいずれか一項に記載のスロット機構内蔵型電子装置。
【発明の詳細な説明】
【技術分野】
【０００１】
本発明は、スロット機構内蔵型電子装置に関し、特にスロット機構への塵の侵入を防ぎ、かつ、電子装置の内部の中見えを防ぐ防塵シートを有するスロット機構内蔵型電子装置に関する。
【背景技術】
【０００２】
電子装置と、外部の電子装置等との間でデータ等を交換する目的で、挿抜可能メモリ（例えば、ＳＤカード）等の記憶装置が用いられている。このような記憶装置を電子装置に接続及び排出するために、記憶装置を挿脱するためのスロット機構を備えた電子装置が知られている。
【０００３】
図１は、従来のスロット機構内蔵型電子装置の一例を示す斜視図である。図１（ａ）において、スロット機構内蔵型電子装置１００を構成する直方体の筐体１０１の１つの側面１０２には、挿抜可能メモリ（例えば、ＳＤカード）２０１を筐体１０１内に備えられたスロット機構（図示せず）に挿脱するための開口部１０３が設けられている。挿抜可能メモリ２０１を挿脱した後、図１（ｂ）に示すように、筐体１０１内に塵が進入するのを防止するためにプレート１０５を装着して開口部１０３を覆うようにする。プレート１０５の装着は、側面１０２に設けられたネジ穴１０４ａ、１０４ｂにプレート１０５に設けられた穴１０６ａ、１０６ｂを介して、ネジ１０７ａ、１０７ｂを締め付けることによって行う。
【０００４】
一方、上記のように、開口部１０３を通して塵が進入するのを防止するためにプレート１０５を装着する代わりに、防塵カバーを装着する例が知られている（例えば、特許文献１）。
【０００５】
図２に、防塵カバーの例を示す。防塵カバー１００１はカード挿入口１００２を備えており、カードリーダ等の挿入口に対応する位置に貼り付けて使用するものである。
【先行技術文献】
【特許文献】
【０００６】
【特許文献１】特開平２−１１５９２
【発明の概要】
【発明が解決しようとする課題】
【０００７】
図１に示した従来の電子装置においては、挿抜可能メモリ２０１のスロット機構への挿脱は通常、人が手で操作するため開口部１０３が小さすぎると操作性が悪くなる。一方、開口部１０３の大きさを十分な操作性を確保できる程度の大きさにすると、開口部１０３を通して筐体１０１の内部に塵が侵入したり、電子装置の内部の基板が見えてしまい、見栄えを損なったりするという問題が生じていた。また、このような筐体への塵の進入は、電子装置として、例えば車載用の電子制御ユニット（ＥＣＵ）に応用した場合には、ＥＣＵを設置する座席の下等の塵や埃が多く発生するような環境下で、挿抜可能メモリ等の記憶装置を交換する作業を行うような場合に顕著に生じていた。
【０００８】
また、図２に示すような防塵のためだけの専用の防塵カバーを設ける場合には、部品点数が多くなり製品のコストが嵩むという問題があった。
【０００９】
本発明は、製造コストを増加させることなく、挿抜可能メモリ等の挿脱時における操作性を高めることができ、筐体への塵や埃の進入を防止することが可能なスロット機構内蔵型電子装置を提供することを目的とする。
【課題を解決するための手段】
【００１０】
本発明のスロット機構内蔵型電子装置は、記憶装置を挿脱するためのスロット機構を備えた基板と、基板を設置するための底面と、記憶装置をスロット機構に挿脱するための第１開口部とを備えた筐体と、基板と底面との間に設けられた絶縁シートと、第１開口部の少なくとも一部を塞ぐように配置された防塵シートと、を備え、防塵シートは、記憶装置をスロット機構に挿脱するための第２開口部を備え、絶縁シートと一体となるように構成されていることを特徴とする。
【発明の効果】
【００１１】
本発明のスロット機構内蔵型電子装置は、製造コストを増加させることなく、挿抜可能メモリ等の挿脱時における操作性を高めることができ、筐体への塵や埃の進入を防止することができるという利点がある。これにより、消費者に対し、安価で操作性が高く、動作の安定した電子装置を提供することが可能となる。また、挿抜可能メモリ等の挿脱が容易ながらも、電子装置の内部の中見えを防止する、見栄えのよい電子装置を提供することが可能となる。
【図面の簡単な説明】
【００１２】
【図１】従来のスロット機構内蔵型電子装置の斜視図である。
【図２】従来の防塵カバーの斜視図である。
【図３】本発明の第１の実施例に係るスロット機構内蔵型電子装置の斜視図である。
【図４】本発明の第１の実施例に係るスロット機構内蔵型電子装置の断面図である。
【図５】本発明の第１の実施例に係るスロット機構内蔵型電子装置の組み立て工程図である。
【図６】本発明の第１の実施例に係るスロット機構内蔵型電子装置の組み立て工程図である。
【図７】本発明の第２の実施例に係るスロット機構内蔵型電子装置の第２開口部周辺の平面図である。
【図８】本発明の第３の実施例に係るスロット機構内蔵型電子装置の第２開口部周辺の平面図である。
【図９】本発明の第４の実施例に係るスロット機構内蔵型電子装置の第２開口部周辺の平面図である。
【図１０】本発明の第５の実施例に係るスロット機構内蔵型電子装置の第２開口部周辺の平面図である。
【図１１】本発明のスロット機構内蔵型電子装置を車載用の電子制御ユニットに用いた場合の平面図である。
【発明を実施するための形態】
【００１３】
以下、図面を参照して、本発明に係るスロット機構内蔵型電子装置について説明する。ただし、本発明の技術的範囲はそれらの実施の形態には限定されず、特許請求の範囲に記載された発明とその均等物に及ぶ点に留意されたい。
【実施例１】
【００１４】
図３に本発明のスロット機構内蔵型電子装置の斜視図を示す。図３（ａ）は、電子装置１に記憶装置２０を挿脱する場合の電子装置１の斜視図を示しており、筐体に設置されるカードシャーシ７（図３（ｂ）参照）をはずした状態を示している。電子装置１は、上シャーシ２と、底シャーシ３と、コネクタシャーシ（図示せず）から構成される筐体を備えている。記憶装置２０を挿脱するために筐体には第１開口部４が設けられており、第１開口部４の一部を塞ぐように防塵シート５が配置されている。防塵シート５はＰＥＴ等の樹脂で構成することができる。防塵シート５には第２開口部６が設けられており、第２開口部６を介して挿抜可能メモリ（例えば、ＳＤカード）等の記憶装置２０を筐体内の基板に設けられたスロット機構に挿脱する。
【００１５】
図３（ａ）に示すように、筐体には第１開口部４が設けられているが防塵シート５で覆われているので記憶装置のスロット機構への挿脱においても塵が筐体内に進入するのを防止することができる。また、防塵シート５は、樹脂で構成されているので記憶装置２０を、第２開口部６を介してスロット機構に挿脱する際に指が触れても容易に撓むので、記憶装置のスロット機構への挿脱の作業において高い操作性を維持することができる。さらに後述するように、防塵シート５は筐体内に設けられた絶縁シートと一体になるように構成されているので製造工程を増加させずに防塵シートを設けることができる。
【００１６】
記憶装置２０をスロット機構に挿脱した後に、筐体の側面端部８ａ、８ｂにカードシャーシ７を設置する。図３（ｂ）は、電子装置１に記憶装置を挿脱した後に筐体にカードシャーシ７を装着する様子を示す。カードシャーシ７は、ネジ７１ａ、７１ｂをカードシャーシ７に設けた穴７２ａ、７２ｂを介して側面端部８ａ、８ｂに設けられたネジ穴７３ａ、７３ｂに締め付けることにより筐体に設置される。このようにカードシャーシ７を、第１開口部４を覆うように設置することにより、筐体の外部から力が加わった場合でも筐体内部を保護することができる。
【００１７】
記憶装置をスロット機構に挿脱する際の防塵シートの変形の様子についてさらに詳しく説明する。図４は、図３（ａ）のＡ−Ａでの断面図を示す。同図ではスロット機構の部分を拡大して示している。図４（ａ）は、指３０ａ、３０ｂで記憶装置２０を掴んで、記憶装置２０の先端部をスロット機構１０に挿入した状態を示し、図４（ｂ）は記憶装置２０をさらにスロット機構１０に挿入し指３０ａ、３０ｂが防塵シート５に接触した状態を示している。図４（ａ）に示すように、底シャーシ３の上には絶縁シート１１が設けられ、絶縁シート１１の上にはスロット機構１０を備えた基板９が設けられている。防塵シート５は絶縁シート１１と一体に形成されており、屈曲部１２で折り曲げられている。また、防塵シート５には記憶装置２０をスロット機構１０に挿脱するための第２開口部６が形成されている。さらに、基板９上には上シャーシ２が設けられている。
【００１８】
図４（ａ）に示すように、記憶装置２０の先端部のみをスロット機構１０に挿入し、指３０ａ、３０ｂが防塵シート５に接触していない状態では防塵シート５が撓むことはなく、筐体の第１開口部４は防塵シート５で覆われており、塵が筐体内に進入することはない。一方、図４（ｂ）に示すように、記憶装置２０をスロット機構１０にさらに挿入し、指３０ａ、３０ｂが防塵シート５に接触した場合には防塵シート５は屈曲部１２を支点として筐体内部方向に屈曲する。このように防塵シート５が屈曲するために指３０ａ、３０ｂは動作を妨げられることなく、防塵シート５を設けない場合と同等の高い操作性を維持することができる。また、防塵シート５は弾性を備えた樹脂で構成することにより指３０ａ、３０ｂを防塵シート５から離した瞬間に元の位置に戻るため、塵が筐体内に進入するのを防止することができる。このことは、防塵シートはＰＥＴ材で形成されているため、絶縁シートをＬ字型に折り曲げるようにして構成しても直立を維持する耐久性があることからなる。
【００１９】
次に、本発明のスロット機構内蔵型電子装置の製造方法について説明する。図５及び図６は、本発明のスロット機構内蔵型電子装置の組み立て工程を説明するための斜視図である。まず、第１開口部４を備えた底シャーシ３を用意し、底シャーシ３上に絶縁シート１１を設置する。絶縁シート１１には第２開口部６を備えた防塵シート５が一体に形成されている。防塵シート５は第１開口部４を覆うように配置される。
【００２０】
さらに、絶縁シート１１上にスロット機構１０を備えた基板９を設置する。基板９上には電子装置の外部に機器を接続するための端子１３ａ〜１３ｅが設けられている。第２開口部６を介してスロット機構１０に記憶装置を挿脱できるようにスロット機構１０は防塵シート５の第２開口部６に対応する位置に配置される。
【００２１】
次に、図６に示すように第１開口部４を覆うようにカードシャーシ７が設置される。また、端子１３ａ〜１３ｅを覆うようにシールド１５が設置され、端子１３ａ〜１３ｅが設けられた部分には端子シャーシ１４が設けられる。次に、上シャーシ２を設置して電子装置が構成される。このように、防塵シート５と絶縁シート１１とは一体に構成されているので、絶縁シートを設けた場合に比べて工程数を増やすことなく、本発明の電子装置を形成することができる。
【実施例２】
【００２２】
次に実施例２に係るスロット機構内蔵型電子装置について説明する。図７は、実施例２の電子装置の第２開口部周辺を拡大した平面図であり、カードシャーシをはずして記憶装置のスロット機構への挿入方向から見た図を示している。実施例２の電子装置においては、防塵シート５の第２開口部６の周辺に２つのスリット４０ａ、４０ｂを設けている点を特徴としている。第２の実施例に係るスロット機構内蔵型電子装置の第２開口部以外の構成は第１の実施例に係るスロット機構内蔵型電子装置と同様であるので、詳細な説明は省略する。
【００２３】
図７に示すように、第２の実施例に係るスロット機構内蔵型電子装置の底面シャーシ３上には絶縁シート１１が設置され、絶縁シート１１上にスロット機構１０を備えた基板９が設置されている。防塵シート５は絶縁シート１１と一体になるように形成されており、屈曲部１２を支点として屈曲可能となっている。防塵シート５には第２開口部６が設けられており、スロット機構１０が露出している。第２開口部６の周辺には２つのスリット４０ａ、４０ｂが設けられており、防塵シート５の開口部上端部４１は、スリット４０ａと４０ｂを結んだ線４２を支点として屈曲可能となっている。このように、記憶装置をスロット機構１０に挿入する際に指が触れる開口部上端部４１が屈曲可能となっているので、スリット４０ａ、４０ｂを形成しない場合に比べて、記憶装置のスロット機構への挿脱作業における操作性をさらに向上させることができる。
【実施例３】
【００２４】
次に実施例３に係るスロット機構内蔵型電子装置について説明する。図８は、実施例３の電子装置の第２開口部周辺を拡大した平面図であり、カードシャーシをはずして記憶装置のスロット機構への挿入方向から見た図を示している。実施例３の電子装置においては、防塵シート５の第２開口部６の周辺にスリット５０を設けている点を特徴としている。第３の実施例に係るスロット機構内蔵型電子装置の第２開口部以外の構成は第１の実施例に係るスロット機構内蔵型電子装置と同様であるので、詳細な説明は省略する。
【００２５】
図８に示すように、第３の実施例に係るスロット機構内蔵型電子装置の底面シャーシ３上には絶縁シート１１が設置され、絶縁シート１１上にスロット機構１０を備えた基板９が設置されている。防塵シート５は絶縁シート１１と一体になるように形成されており、屈曲部１２を支点として屈曲可能となっている。防塵シート５には第２開口部６が設けられており、スロット機構１０が露出している。第２開口部６の略中央部にはスリット５０が設けられており、防塵シート５の開口部上端部５１ａ、５１ｂは、スリット５０の端部と第２開口部６の端部を結んだ線５２ａ及び５２ｂを支点として屈曲可能となっている。このように、記憶装置をスロット機構１０に挿入する際に指が触れる開口部上端部５１ａ、５１ｂが屈曲可能となっているので、スリット５０を形成しない場合に比べて、記憶装置のスロット機構への挿脱作業における操作性をさらに向上させることができる。
【実施例４】
【００２６】
次に実施例４に係るスロット機構内蔵型電子装置について説明する。図９は、実施例４の電子装置の第２開口部周辺を拡大した平面図であり、カードシャーシをはずして記憶装置のスロット機構への挿入方向から見た図を示している。実施例４の電子装置においては、防塵シート５に開口部を設ける代わりに２つのスリット６０ａ、６０ｂを設けている点を特徴としている。第４の実施例に係るスロット機構内蔵型電子装置の第２開口部以外の構成は第１の実施例に係るスロット機構内蔵型電子装置と同様であるので、詳細な説明は省略する。
【００２７】
図９に示すように、第４の実施例に係るスロット機構内蔵型電子装置の底面シャーシ３上には絶縁シート１１が設置され、絶縁シート１１上にスロット機構１０を備えた基板９が設置されている。防塵シート５は絶縁シート１１と一体になるように形成されており、屈曲部１２を支点として屈曲可能となっている。防塵シート５には開口部は設けられておらず、スロット機構１０は防塵シート５の可動部６１によって覆われている。可動部６１の周辺には２つのスリット６０ａ、６０ｂが設けられており、防塵シート５の可動部６１は、スリット６０ａと６０ｂの端部を結んだ線６２を支点として屈曲可能となっている。このように、記憶装置をスロット機構１０に挿入する際に指が触れる可動部６１が屈曲可能となっているので、第２開口部のみを形成した場合に比べて、記憶装置のスロット機構への挿脱作業における筐体内への塵の進入をさらに抑制することができる。
【実施例５】
【００２８】
次に実施例５に係るスロット機構内蔵型電子装置について説明する。図１０は、実施例５の電子装置の第２開口部周辺を拡大した平面図であり、カードシャーシをはずして記憶装置のスロット機構への挿入方向から見た図を示している。実施例５の電子装置においては、防塵シート５の第２開口部６の周辺にスリット７０を設けている点を特徴としている。第５の実施例に係るスロット機構内蔵型電子装置の第２開口部以外の構成は第１の実施例に係るスロット機構内蔵型電子装置と同様であるので、詳細な説明は省略する。
【００２９】
図１０に示すように、第５の実施例に係るスロット機構内蔵型電子装置の底面シャーシ３上には絶縁シート１１が設置され、絶縁シート１１上にスロット機構１０を備えた基板９が設置されている。防塵シート５は絶縁シート１１と一体になるように形成されており、屈曲部１２を支点として屈曲可能となっている。防塵シート５には第２開口部６が設けられており、スロット機構１０が露出している。第２開口部６の周辺にはスリット７０が設けられており、防塵シート５の開口部上端部７１は、スリット７０が設けられていない側の第２開口部６の端部から上方に伸びる線７２を支点として屈曲可能となっている。このように、記憶装置をスロット機構１０に挿入する際に指が触れる開口部上端部７１が屈曲可能となっているので、スリット５０を形成しない場合に比べて、記憶装置のスロット機構への挿脱作業における操作性をさらに向上させることができる。
【００３０】
次に、本発明のスロット機構内蔵型電子装置を車載用の電子制御ユニット（ＥＣＵ）に応用した例について説明する。図１１は、車両３００を上方からみた平面図である。車両３００には複数のコネクタ４０１〜４０５を介して複数のカメラ３０１〜３０４が設けられており、これらのカメラからの画像データをＥＣＵ５００で処理し、ナビゲーション装置（ＡＶＮ）６００に表示する、いわゆる車両の周辺監視モニターシステムを構成している。
【００３１】
ＥＣＵ５００には、図６に示すように、挿抜可能メモリ用のスロット機構１０、防塵シート５、絶縁シート１１、カードシャーシ７が設けられている。ＥＣＵ５００とコネクタ４０１〜４０５とは複数本の配線７００で接続されており、配線７００はＥＣＵ５００の端子１３ａ〜１３ｅ（図６参照）に接続される。ＥＣＵ５００には車両固有の設定データを新規に読み込ませたり、設定データを変更したりする場合に挿抜可能メモリ等に記憶したデータをＥＣＵ５００に転送する場合がある。このように複数本の配線を乗員から見えない部分に隠しつつ、挿抜可能メモリの挿脱を簡便に行うために、ＥＣＵ５００を座席８００の下部に設置するのが都合がよい。しかしながら、座席８００の下部においては車内の塵や埃が溜まりやすく、挿抜可能メモリの挿脱のためにカードシャーシ７をはずしてＥＣＵ５００に設けたスロット機構を露出させると筐体内に塵や埃が侵入する恐れがあった。
【００３２】
本発明によるスロット機構内蔵型電子装置のように防塵シートを備えた構成によれば、挿抜可能メモリの挿脱時において筐体内に塵や埃の進入を防止することができると共に、電子装置の内部の中見えを防止できる。また、防塵シートを樹脂で形成することにより、挿抜可能メモリの挿脱作業を効率よく行うことができる。さらに、防塵シートはＥＣＵ５００内に設置した絶縁シートと一体に形成しているので、防塵シートを設けることによるＥＣＵ５００の製造コストの増加を抑制することができる。これにより、消費者に対し、作業性の良い機能動作の安定した電子装置を安価で提供することが可能となる。
【００３３】
上記の説明において絶縁シート１１は筐体の底面シャーシ３と基板との間の絶縁のために設けているため、絶縁性を備えている必要がある。一方、記憶装置の挿脱の際に防塵シート５と接触する可能性もあるため、防塵シート５の一部に導電性を呈するように構成してもよい。導電性を持たせるためには防塵シート５の表面に導電性の薄膜を塗布したり、導電性の別のシートを貼り付けるようにしてもよい。
【符号の説明】
【００３４】
１    電子装置
２    上シャーシ
３    底シャーシ
４    第１開口部
５    防塵シート
６    第２開口部
７    カードシャーシ
９    基板
１０    スロット機構
１１    絶縁シート
１２    屈曲部
２０    記憶装置
【図１】
2011227711.tif 000003
【図２】
2011227711.tif 000004
【図３】
2011227711.tif 000005
【図４】
2011227711.tif 000006
【図５】
2011227711.tif 000007
【図６】
2011227711.tif 000008
【図７】
2011227711.tif 000009
【図８】
2011227711.tif 000010
【図９】
2011227711.tif 000011
【図１０】
2011227711.tif 000012
【図１１】
2011227711.tif 000013